(57)【要約】【課題】展示ケースの設置現場にて、行灯型四面展示ケースと行灯型五面展示ケースとを適宜変更して使用することができる展示ケースを提供する。【解決手段】床面に設置された展示台を有し、展示台の上方に形成された展示空間の周囲が透明な側面パネルにより囲まれ、かつ側面パネルで囲まれた展示空間の上方が天井パネル６により覆われる展示ケースにおいて、天井パネル６の上面には、展示空間に向かって光を照射するための略パネル形状をなす発光パネルユニット７が配置され、かつ天井パネル６の上面の所定位置に設けられて発光パネルユニット７の配置位置を規制する位置規制手段２３により、発光パネルユニット７が着脱自在に天井パネル６に取り付けられる。【選択図】図３
2013094446.tif 000002
【特許請求の範囲】
【請求項１】
床面に設置された展示台を有し、該展示台の上方に形成された展示空間の周囲が透明な側面パネルにより囲まれ、かつ該側面パネルで囲まれた展示空間の上方が天井パネルにより覆われる展示ケースにおいて、
前記天井パネルの上面には、前記展示空間に向かって光を照射するための略パネル形状をなす発光パネルユニットが配置され、かつ該天井パネルの上面の所定位置に設けられて前記発光パネルユニットの配置位置を規制する位置規制手段により、該発光パネルユニットが着脱自在に前記天井パネルに取り付けられることを特徴とする展示ケース。
【請求項２】
前記天井パネルの上面側の周縁部に略枠状をなす枠部が配置されるとともに、該枠部の内側に、前記発光パネルユニットが配置されており、前記位置規制手段により、前記枠部が着脱自在に前記天井パネルに取り付けられることを特徴とする請求項１に記載の展示ケース。
【請求項３】
前記位置規制手段は、略平板状をなして粘着性を有する粘着部材となっていることを特徴とする請求項１または２に記載の展示ケース。
【請求項４】
前記粘着部材は、ポリオレフィン系エラストマーまたはシリコンを主材としたゲル状の材質からなることを特徴とする請求項３に記載の展示ケース。
【請求項５】
前記発光パネルユニットは、前記位置規制手段に対して水平方向に係止される係止部を有することを特徴とする請求項１ないし４のいずれかに記載の展示ケース。
【発明の詳細な説明】
【技術分野】
【０００１】
本発明は、床面に設置された展示台を有し、該展示台の上方に形成された展示空間の周囲が透明な側面パネルにより囲まれ、かつ該側面パネルで囲まれた展示空間の上方が天井パネルにより覆われる展示ケースに関する。
【背景技術】
【０００２】
従来の展示ケースは、上、中、下の３段の部屋を持つ直方体形状をなしており、中段の部屋は展示物を入れるための空間（展示空間）となっている。上下の部屋は光源装置から延びる光ファイバを収納するための空間となっており、この上下の部屋が展示物を照明するための照明装置となっている。中段の部屋はガラスなどの透明材料（側面パネル）で四方が区画され、外部から展示物を鑑賞者が鑑賞できるようになっている（例えば、特許文献１参照）。このような照明装置付の展示ケースは、一般的に行灯型四面展示ケースと称されている。また、照明装置を備えておらず上面側も透明材料（側面パネル）で構成した行灯型五面展示ケースがある。
【０００３】
そして、特許文献１に記載の展示ケース用照明装置にあっては、展示ケースを製造する際に、照明装置を収容するための上段と下段の部屋と、展示物を入れるための中段の部屋（展示空間）とを一体化して形成しなければならないため、このような行灯型四面展示ケースでは、行灯型五面ガラスケースと異なる製造工程を経なければならず、生産効率が悪くなるという問題があり、この問題を解決するために、行灯型五面展示ケースの製造工程を利用して、その行灯型五面展示ケースの上面パネルに導光板ユニットを配置して行灯型四面展示ケースを製造することができるようにした展示ケースがある（例えば、特許文献２参照）。
【先行技術文献】
【特許文献】
【０００４】
【特許文献１】国際公開第２００６／１２６２５０号パンフレット（第６頁、第１図）
【特許文献２】特開２０１１−１９６８２号公報（第５頁、第３図）
【発明の概要】
【発明が解決しようとする課題】
【０００５】
しかしながら、特許文献２に記載の展示ケースにあっては、展示ケースの生産効率を向上させることができるものの、納品後の展示ケースの設置現場にて、行灯型四面展示ケースと行灯型五面展示ケースとを適宜変更して使用することができず、展示品の変更や展示場所の変更に応じて展示ケースを変更することができず、不便であるという問題がある。
【０００６】
本発明は、このような問題点に着目してなされたもので、展示ケースの設置現場にて、行灯型四面展示ケースと行灯型五面展示ケースとを適宜変更して使用することができる展示ケースを提供することを目的とする。
【課題を解決するための手段】
【０００７】
前記課題を解決するために、本発明の展示ケースは、
床面に設置された展示台を有し、該展示台の上方に形成された展示空間の周囲が透明な側面パネルにより囲まれ、かつ該側面パネルで囲まれた展示空間の上方が天井パネルにより覆われる展示ケースにおいて、
前記天井パネルの上面には、前記展示空間に向かって光を照射するための略パネル形状をなす発光パネルユニットが配置され、かつ該天井パネルの上面の所定位置に設けられて前記発光パネルユニットの配置位置を規制する位置規制手段により、該発光パネルユニットが着脱自在に前記天井パネルに取り付けられることを特徴としている。
この特徴によれば、位置規制手段により発光パネルユニットが天井パネルの上面で水平方向に移動不能に固定できるとともに、発光パネルユニットの上方への移動が可能になり、発光パネルユニットを持ち上げるだけで、天井パネルから発光パネルユニットを容易に取り外すことができ、展示ケースの設置現場にて、行灯型四面展示ケースと行灯型五面展示ケースとを適宜変更して使用することができる。また、行灯型四面展示ケースを使用する場合にあっては、展示品に合わせて発光パネルユニット自体の変更作業を行うことができ、照明の色温度を変更したり、スポットライトの配光角を調節したりするなどの展示品に合わせた調整が展示ケースの設置現場にて可能となる。さらに、略パネル状をなす発光パネルユニットは、その上下幅を小さくして薄型に形成でき、圧迫感が少ない展示ケースとすることができるばかりか、この薄型の発光パネルユニットが位置規制手段により水平方向に移動不能に固定されることで、展示ケースを搬送する場合や地震等が発生した場合などに展示ケース自体がぐらついても、発光パネルユニットが天井パネルの上面にしっかりと固定された状態を維持することができる。
【０００８】
本発明の展示ケースは、
前記天井パネルの上面側の周縁部に略枠状をなす枠部が配置されるとともに、該枠部の内側に、前記発光パネルユニットが配置されており、前記位置規制手段により、前記枠部が着脱自在に前記天井パネルに取り付けられることを特徴としている。
この特徴によれば、位置規制手段により枠部が天井パネルの上面で水平方向に移動不能に固定できるとともに、枠部の上方への移動が可能になり、枠部を持ち上げるだけで、天井パネルから枠部を容易に取り外すことができ、展示ケースの設置現場にて、行灯型四面展示ケースと行灯型五面展示ケースとを適宜変更して使用することができる。また、発光パネルユニットが枠部によって囲まれて保護されるとともに、発光パネルユニットが枠部によって隠蔽されて、体裁のよい展示ケースを提供することができる。
【０００９】
本発明の展示ケースは、
前記位置規制手段は、略平板状をなして粘着性を有する粘着部材となっていることを特徴としている。
この特徴によれば、粘着部材となっている位置規制手段は、その粘着力により天井パネルの上面に着脱自在に取り付けられるとともに、発光パネルユニットと位置規制手段とが粘着力により互いに接着されているため、別途の取外用の器具等を用いずとも、発光パネルユニット及び位置規制手段を天井パネルから容易に取り外すことができる。
【００１０】
本発明の展示ケースは、
前記粘着部材は、ポリオレフィン系エラストマーまたはシリコンを主材としたゲル状の材質からなることを特徴としている。
この特徴によれば、ポリオレフィン系エラストマーまたはシリコンを主材としたゲル状の材質により容易に適度な粘着力を有する粘着部材を製造することができる。
【００１１】
本発明の展示ケースは、
前記発光パネルユニットは、前記位置規制手段に対して水平方向に係止される係止部を有することを特徴としている。
この特徴によれば、発光パネルユニットの係止部が位置規制手段に対して水平方向に係止され、発光パネルユニットが天井パネルの上面で水平方向に移動不能に固定される。
【図面の簡単な説明】
【００１２】
【図１】実施例１における展示ケースを示す斜視図である。
【図２】展示ケースを示す縦断正面図である。
【図３】発光パネルユニットを示す縦断正面図である。
【図４】展示ケースを示す平面図である。
【図５】実施例２における発光パネルユニットを示す縦断正面図である。
【図６】実施例３における発光パネルユニットを示す縦断正面図である。
【図７】実施例４における発光パネルユニットを示す縦断正面図である。
【発明を実施するための形態】
【００１３】
本発明に係る展示ケースを実施するための形態を実施例に基づいて以下に説明する。
【実施例１】
【００１４】
実施例１に係る展示ケースにつき、図１から図４を参照して説明する。図１の符号1は、本発明の適用された展示ケースである。この展示ケース１は、主に美術館や博物館等に設置され、展示ケース１内に配置された展示品２を、鑑賞者が展示ケース１の周囲から鑑賞できるようになっている。
【００１５】
図１に示すように、展示ケース１は、床面に設置されて平面視で略四角形状をなす展示台３を有し、展示台３の四方の各側面の外周を取り囲むように、床面から立設されたガラス等の材質で形成された透明な側面パネル４が４枚配置されている。この側面パネル４によって展示台３の上方に展示空間５が形成されている。そして、展示品２を展示台３の上面に配置でき、展示品２を展示空間５内に収容するようになっている。
【００１６】
図２に示すように、各側面パネル４の上面開口部は、ガラス等の材質で形成された透明な天井パネル６で閉塞されており、この天井パネル６の上面側の中央部には、発光パネルユニット７が配置されている。また、天井パネル６は、平面視で略四角形状をなし、発光パネルユニット７も平面視で略四角形状をなし、かつこの発光パネルユニット７は、天井パネル６よりも小さく形成されている（図４参照）。
【００１７】
図３及び図４に示すように、発光パネルユニット７の周辺部における天井パネル６の上面には、非透光性を有して天井パネル６の下方側から上方を見えなくするための薄板状（シート状）の天井枠部材８（枠部）が配置されている。なお、本実施例では、天井枠部材８として黒色の塩化ビニール板を用いている。この天井枠部材８は、鋼板やアルミ板などの金属材料により形成してもよいし、ガラスや樹脂などの非金属板により形成してもよく、さらには、ＰＥＴなどを用いてフィルム状に形成してもよい。
【００１８】
そして、この天井枠部材８により、天井パネル６における発光パネルユニット７の周辺部が非透光性の部位にできる。また、天井枠部材８には、発光パネルユニット７から照射される光を通過させる中央開口部２２が形成されている。
【００１９】
図３に示すように、発光パネルユニット７は、アクリル樹脂等の材質で形成された導光板９を有している。この導光板９は、その上面の全面に渡って微細な凹凸が形成されている。この微細な凹凸は、シルク印刷加工やＶ溝カット加工や成形加工やレーザー加工等の所定の加工方法により形成されている。
【００２０】
また、導光板９の上面には、光を反射させる反射シート１０が設けられている。導光板９の下面には、光を拡散させる拡散シート１１が設けられている。平面視で略四角形状をなす導光板９の左右二辺のそれぞれには、照明手段としての複数のＬＥＤ１２を有する照明基板１３が設けられている。この照明基板１３は、導光板９の端面に沿って延設されており、複数のＬＥＤ１２は、照明基板１３の長手方向に沿って並設されており、このＬＥＤ１２は導光板９の端面側に向いている。
【００２１】
図３及び図４に示すように、照明基板１３は、薄い板部材が断面視で略コ字形状をなすように屈曲成形、またはアルミ押出しされた枠筐体１４に装着されており、この枠筐体１４が導光板９の左右二辺に設けられている。また、導光板９の照明基板１３が設けられた２辺以外の他の辺は、断面視で略コ字形状をなす枠筐体１４に嵌合されている。さらに、四つの枠筐体１４で囲まれた上面側は、カバー材１５により閉塞されている。なお、四つの枠筐体１４で囲まれた下面側は、開口されて下面開口部１６が形成されている。
【００２２】
また、発光パネルユニット７の下面開口部１６は、天井枠部材８の中央開口部２２と同一の寸法に形成されており、発光パネルユニット７が天井枠部材８の上面に配置された状態では、発光パネルユニット７の下面開口部１６と天井枠部材８の中央開口部２２との配置位置が同一になっている。そして、天井枠部材８の中央開口部２２を介して発光パネルユニット７の下面が露呈されている。
【００２３】
また、天井パネル６の上面において、発光パネルユニット７の下面開口部１６及び天井枠部材８の中央開口部２２に対応する位置には、ゲルテープ２３（位置規制手段）が貼り付けられている。このゲルテープ２３は、略平板のテープ状をなして上下面及び左右面の全ての面が粘着性を有する粘着部材となっており、透光性を有するポリオレフィン系エラストマーまたはシリコンを主材としたゲル状の材質から構成される特殊エラストマー樹脂のゲル状組成物となっている。なお、ゲルテープ２３は、電磁誘導加熱機により接着・解体できる熱可塑テープなどの解体性接着剤を用いた材質であってもよい。
【００２４】
また、ポリオレフィン系エラストマーまたはシリコンを主材としたゲル状の材質により容易に適度な粘着力を有するゲルテープ２３を製造することができる。そして、このゲルテープ２３は、発光パネルユニット７から照射される光を下方に透光させることができる。
【００２５】
また、ゲルテープ２３は、発光パネルユニット７の下面開口部１６を構成する枠筐体１４の内縁辺及び天井枠部材８の内縁辺に沿って配置されている。なお、ゲルテープ２３の厚み寸法は、枠筐体１４の内縁辺の厚み寸法と、天井枠部材８の内縁辺の厚み寸法とを合わせた寸法となっている。
【００２６】
そして、発光パネルユニット７の枠筐体１４の内縁辺及び天井枠部材８の内縁辺がゲルテープ２３に係止されることで、発光パネルユニット７及び天井枠部材８が天井パネル６の上面で水平方向に移動不能に固定された状態となっている。なお、枠筐体１４の内縁辺が本実施例における係止部となっている。さらになお、ゲルテープ２３の上面を拡散シート１１の下面に接触させるようにしてもよい。
【００２７】
図４に示すように、複数のＬＥＤ１２が導光板９の端面側にのみ配置されており、発光パネルユニット７は、その上下幅を小さくして薄型に形成し、かつ軽量化することができるとともに、ＬＥＤ１２の使用個数を減らして製造コストを低減させることができる。また、薄型の発光パネルユニット７を用いることにより、圧迫感が少ない展示ケース１とすることができる。
【００２８】
また、照明基板１３のＬＥＤ１２を点灯させると、ＬＥＤ１２より発せられた光は、導光板９の端面に向かって入射される。この入射された光は、導光板９内部で広がり、導光板９の上面に達した光は、導光板９の上面に形成された微細な凹凸で拡散されつつ、反射シート１０により反射され、導光板９の下面側に向かうようになっている。
【００２９】
また、導光板９の下面に達した光は、拡散シート１１により拡散され、導光板９の下面側全体から均一に照射されるようになっている。ＬＥＤ１２から発せられる光は直接展示品２に照射されるのではなく導光板９を介して照射されるため、紫外線や赤外線を低減させた光を展示品２に照射させることができ、長時間照射しても、紫外線によって展示品２が色褪せたり、赤外線による熱で展示品２を傷めたりせずに済むようになる。
【００３０】
前述したように、天井パネル６は、平面視で略四角形状をなし、発光パネルユニット７も平面視で略四角形状をなし、かつこの発光パネルユニット７は、天井パネル６よりも小さく形成されているが、発光パネルユニット７から照射される光は、発光パネルユニット７から外側斜め下方向に向かって広がるようになっており、この発光パネルユニット７の大きさは、照射される光が展示台３の形状にまんべんなく照射される程度の大きさに形成されている。
【００３１】
そのため、展示台３よりも外方側に光が照射されないように、発光パネルユニット７による照射領域を展示台３の上面に限定することにより発光パネルユニット７の消費電力を低減できる。また、展示ケース１の外周に居る鑑賞者の目に光が直接入り込まないようにすることができる。
【００３２】
また、天井パネル６における発光パネルユニット７の周辺部には、非透光性の天井枠部材８が設けられているため、展示ケース１の上方にある室内の天井の照明装置等から光が照射された際に、展示ケース１の上方から展示ケース１内に入り込む光が遮られることとなる。そのため、発光パネルユニット７から発せられる光のみで展示品２を照らすことができ、展示ケース１による照明効果を高められる。
【００３３】
さらに、発光パネルユニット７は、天井パネル６の上方に配置されているため、別途、発光パネルユニット７を支持するための部材を用いることなく、天井パネルを利用して発光パネルユニットを支持することができる。また、ＬＥＤ１２から発生する熱によって暖められた空気が展示空間５内に入り込まないようになり、展示空間５内の温度上昇を防止することができる。
【００３４】
なお、従来の一般的な照明装置のように、照射面全体にＬＥＤを配置して照射されるようにすると、ＬＥＤは点発光するようになっているため、その点発光が目立ってしまい、照射面全体にＬＥＤの光のムラができてしまうようになっている。しかしながら本実施例の発光パネルユニット７では、ＬＥＤ１２から照射された光が、一旦、導光板９に入射した後、拡散シート１１を介して発光パネルユニット７の下面側から照射されるようになっており、その照射面全体がムラなく一様に発光するようになっている。
【００３５】
図４に示すように、４枚の側面パネル４のうち背面側の一枚は、その端縁に設けられたヒンジ１７によって外方向に揺動されて開放される扉部となっている。この背面側の側面パネル４’を開放することで展示品２を展示空間５内に収容できるようになっている。
【００３６】
図３に示すように、ＬＥＤ１２が配置される照明基板１３から電力線２０が発光パネルユニット７の外部に延びている。この電力線２０は、天井枠部材８の上面に設けられた配線カバー２４内に挿設されて、発光パネルユニット７の角部から天井パネル６の角部に向かって延びるフラットケーブルとなっている。そして、天井枠部材８の戸当部１８に対応する位置には、電力線２０が着脱されるコネクタ２５が設けられている。
【００３７】
図４に示すように、コネクタ２５には、戸当部１８に沿って下方に延びる電力線（図示略）が接続されており、この電力線は、展示台３内部に配置された制御回路（図示略）に接続されている。この制御回路は、室内に設けられたコンセント等から電力を供給されるようになっている。
【００３８】
そして、本実施例の展示ケース１は、一般的な鑑賞者の身長よりも大きく形成されており、鑑賞者が天井パネルを下方から見上げた際に、この電力線２０は天井枠部材８により鑑賞者から見えないようになっている。さらに、発光パネルユニット７の枠筐体１４も、天井枠部材８の上面側に配置されているため、鑑賞者が天井パネルを下方から見上げた際に、枠筐体１４が鑑賞者から見えないようになっている。
【００３９】
なお、本実施例のような発光パネルユニット７が天井パネル６に設置されている展示ケース１は、行灯型四面展示ケース１と称されている。そして、本実施例の行灯型四面展示ケース１は、行灯型五面展示ケースの製造工程を利用して、その行灯型五面展示ケースの天井パネル６に発光パネルユニット７を配置して行灯型四面展示ケース１を製造することができるようになり、行灯型五面展示ケースと行灯型四面展示ケース１とを同じ製造工程で製造することができ、展示ケース１の生産効率を向上させることができる。さらに、製造後には、行灯型五面展示ケースのみを在庫しておけばよく、在庫数を減らしてコストダウンが可能になる。
【００４０】
また、前述したように、発光パネルユニット７は、枠筐体１４の内縁辺がゲルテープ２３に係止されることで、発光パネルユニット７が天井パネル６の上面で水平方向に移動不能に固定された状態となっており、発光パネルユニット７を持ち上げるだけで、天井パネル６から発光パネルユニット７を容易に取り外すことができる。なお、前述したように、発光パネルユニット７から延びる電力線２０は、コネクタ２５の部位から取り外すことができる。
【００４１】
同様に、天井枠部材８を持ち上げるだけで、天井パネル６から発光パネルユニット７を容易に取り外すことができる。そして、ゲルテープ２３を天井パネル６の上面から容易に剥がすことができる。なお、ゲルテープ２３を天井パネル６の上面から剥がしても、天井パネル６には、ゲルテープ２３の跡が残らない程度に粘着力が調整されている。このように、本実施例の展示ケース１は、展示会場等の設置現場にて、天井パネル６から発光パネルユニット７と天井枠部材８を取り外して行灯型五面展示ケースとして使用することができる。
【００４２】
また、展示会場等の設置現場にて、行灯型五面展示ケースとして搬入された展示ケース１に対して、発光パネルユニット７と天井枠部材８を取り付けることで、行灯型四面展示ケースとして使用することもできる。
【００４３】
また、行灯型四面展示ケース１を使用する場合にあっては、展示品２に合わせて発光パネルユニット７自体の変更作業を行うことができ、照明の色温度を変更したり、スポットライトの配光角を調節したりするなどの展示品２に合わせた調整が展示ケース１の設置現場にて可能となる。さらに、略パネル状をなす発光パネルユニット７は、その上下幅を小さくして薄型に形成でき、圧迫感が少ない展示ケース１とすることができるばかりか、この薄型の発光パネルユニット７がゲルテープ２３により水平方向に移動不能に固定されることで、展示ケース１を搬送する場合や地震等が発生した場合などに展示ケース１自体がぐらついても、発光パネルユニット７が天井パネル６の上面にしっかりと固定された状態を維持することができる。
【００４４】
また、ゲルテープ２３により、天井枠部材８が着脱自在に天井パネル６に取り付けられることで、発光パネルユニット７が天井枠部材８によって囲まれて保護されるとともに、発光パネルユニット７が天井枠部材８によって隠蔽されて、体裁のよい展示ケース１を提供することができる。
【００４５】
また、粘着部材となっているゲルテープ２３は、その粘着力により天井パネル６の上面に着脱自在に取り付けられるとともに、発光パネルユニット７とゲルテープ２３とが粘着力により互いに接着されているため、別途の取外用の器具等を用いずとも、発光パネルユニット７及びゲルテープ２３を天井パネル６から容易に取り外すことができる。
【実施例２】
【００４６】
図５に示すように、実施例２では、天井枠部材８に形成される中央開口部２２が、発光パネルユニット７の外形寸法よりも大きい寸法に形成されており、天井枠部材８の内縁辺と、発光パネルユニット７の枠筐体１４の内縁辺との間が離間されている。なお、発光パネルユニット７の枠筐体１４の下面は、天井パネル６の上面に接触されている。さらに、天井パネル６の上面において、天井枠部材８の内縁辺と発光パネルユニット７の枠筐体１４の外縁辺との間に、ゲルテープ２３（位置規制手段）が貼り付けられている。
【００４７】
そして、発光パネルユニット７の枠筐体１４の外縁辺及び天井枠部材８の内縁辺がゲルテープ２３に係止されることで、発光パネルユニット７及び天井枠部材８が天井パネル６の上面で水平方向に移動不能に固定された状態となっている。なお、枠筐体１４の外縁辺が実施例２における係止部となっている。さらになお、前述の実施例１と異なり、実施例２では、ゲルテープ２３が天井枠部材８と同じ黒色に着色されており、ゲルテープ２３が非透光性を有している。
【実施例３】
【００４８】
図６に示すように、実施例３では、天井枠部材８に形成される中央開口部２２が、発光パネルユニット７の外形寸法と同じ寸法に形成されており、天井枠部材８の内縁辺と発光パネルユニット７の枠筐体１４の外縁辺とが互いに接触されている。なお、発光パネルユニット７の枠筐体１４の下面は、天井パネル６の上面に接触されている。さらに、天井パネル６の上面において、発光パネルユニット７の下面開口部１６に対応する位置に、ゲルテープ２３（位置規制手段）が貼り付けられている。
【００４９】
そして、発光パネルユニット７の枠筐体１４の内縁辺がゲルテープ２３に係止されることで、発光パネルユニット７が天井パネル６の上面で水平方向に移動不能に固定された状態となっている。なお、枠筐体１４の内縁辺が実施例３における係止部となっている。また、天井枠部材８の内縁辺が発光パネルユニット７の枠筐体１４の外縁辺に係止されることで、天井枠部材８が天井パネル６の上面で水平方向に移動不能に固定された状態となっている。
【実施例４】
【００５０】
図７に示すように、実施例４では、天井枠部材８に形成される中央開口部２２が、発光パネルユニット７の外形寸法と同じ寸法に形成されている。さらに、天井パネル６の上面において、天井枠部材８に形成される中央開口部２２に対応する位置に、ゲルテープ２３（位置規制手段）が貼り付けられている。なお、ゲルテープ２３の厚み寸法は、天井枠部材８の厚み寸法と同一に形成されている。
【００５１】
そして、天井枠部材８の内縁辺がゲルテープ２３に係止されることで、天井枠部材８が天井パネル６の上面で水平方向に移動不能に固定された状態となっている。また、発光パネルユニット７の枠筐体１４の下面がゲルテープ２３の上面に接触されており、発光パネルユニット７は、ゲルテープ２３が有する粘着力により、水平方向に移動不能に固定された状態となっている。
【００５２】
以上、本発明の実施例を図面により説明してきたが、具体的な構成はこれら実施例に限られるものではなく、本発明の要旨を逸脱しない範囲における変更や追加があっても本発明に含まれる。
【００５３】
例えば、前記実施例では、発光パネルユニット７の照明手段としてＬＥＤ２１が用いられているが、本発明はこれに限ることなく、照明手段として冷陰極発光体（Cold Cathode Fluorescent Lamp：略称ＣＣＦＬ）を用いるようにしてもよい。
【００５４】
また、前記実施例では、天井枠部材８がゲルテープ２３によって水平方向に移動不能に固定された状態になっているが、天井枠部材８は、その下面に粘着性を有する粘着剤を塗布して天井パネル６の上面に貼り付ける構成にしてもよい。
【００５５】
また、前記実施例では、ゲルテープ２３は、略平板のテープ状をなして上下面及び左右面の全ての面が粘着性を有する粘着部材となっているが、ゲルテープ２３は少なくとも下面側が粘着性を有していればよい。
【００５６】
また、前記実施例では、位置規制手段がゲルテープ２３により構成され、発光パネルユニット７がゲルテープ２３に係止されることで、この発光パネルユニット７が天井パネル６の上面で水平方向に移動不能に固定されているが、位置規制手段をゲルテープ２３以外で構成してもよく、例えば、天井パネル６の上面に発光パネルユニット７が係止される突起部を設け、この突起部を位置規制手段として、発光パネルユニット７が天井パネル６の上面で水平方向に移動不能に固定されるようにしてもよい。
【符号の説明】
【００５７】
１        展示ケース
２        展示品
３        展示台
４        側面パネル（透明パネル，所定の部材）
４’      側面パネル（扉部，所定の部材）
５        展示空間
６        天井パネル
７        発光パネルユニット
８        天井枠部材（枠部）
９        導光板
１０      反射シート
１１      拡散シート
１２      ＬＥＤ（照明手段）
１３      照明基板（照明手段）
１４      枠筐体（係止部）
１５      カバー材
１６      下面開口部
１７      ヒンジ
１８      戸当部
１９      シール部材
２０      電力線
２２      中央開口部
２３      ゲルテープ（位置規制手段）
２４      配線カバー
２５      コネクタ
【図１】
2013094446.tif 000003
【図２】
2013094446.tif 000004
【図３】
2013094446.tif 000005
【図４】
2013094446.tif 000006
【図５】
2013094446.tif 000007
【図６】
2013094446.tif 000008
【図７】
2013094446.tif 000009